(57)【要約】【課題】騒音環境下においても音声がクリアに聞こえる程に収音性能を向上することと、軽量化することとを両立する。【解決手段】ヘッドセット１１において、ヘッドバンド３３の一端部３５に設けられるハウジング１９と、ハウジング１９に取り付けられるイヤーパッド２１と、イヤーパッド２１と反対側のハウジング１９に取り付けられるブーム本体部２３と、ブーム本体部２３に設けられ、ハウジング１９を挟みヘッドバンド３３の一端部３５と反対側に突出するアーム部２５と、アーム部２５の突出先端に設けられる第１マイク２７と、アーム部２５に設けられ、ユーザの口元と第１マイク２７とを通る略直線上に、第１マイク２７を挟んでユーザの口元と反対側に配置される第２マイク２９と、を備える。【選択図】図３
2019083406.tif 000002
【特許請求の範囲】
【請求項１】
ヘッドバンドの一端部に設けられるハウジングと、
前記ハウジングに取り付けられるイヤーパッドと、
前記イヤーパッドと反対側の前記ハウジングに取り付けられるブーム本体部と、
前記ブーム本体部に設けられ、前記ハウジングを挟み前記ヘッドバンドの一端部と反対側に突出するアーム部と、
前記アーム部の突出先端に設けられる第１マイクと、
前記アーム部に設けられ、ユーザの口元と前記第１マイクとを通る略直線上に、前記第１マイクを挟んで前記ユーザの口元と反対側に配置される第２マイクと、を備える、
ヘッドセット。
【請求項２】
前記第１マイクは、前記アーム部の口元側に対向するアーム内面に配置され、
前記第２マイクは、前記アーム内面と反対側の前記アーム部のアーム外面に配置される、
請求項１に記載のヘッドセット。
【請求項３】
前記第１マイク及び前記第２マイクによりそれぞれ収音された音声信号に基づいて、前記ユーザの口元に向かう方向に指向性を有する信号を生成する音声信号処理部、を更に備える、
請求項１又は２に記載のヘッドセット。
【請求項４】
前記第２マイクを挟んで前記第１マイクの反対側となる前記アーム部のアーム外面に配置された第３マイク、を更に備える、
請求項１〜３のうちいずれか一項に記載のヘッドセット。
【請求項５】
前記第１マイクと前記第２マイクとの距離よりも前記第２マイクと前記第３マイクとの距離が大きい、
請求項４に記載のヘッドセット。
【請求項６】
前記ハウジングに対する前記アーム部の回転に応じて、前記アーム部が前記ヘッドバンドに重ねられる位置まで回転されたことを検出すると、前記ヘッドセットの電源をオフする電源制御部、を更に備える、
請求項１〜５のうちいずれか一項に記載のヘッドセット。
【請求項７】
前記ハウジングに対する前記アーム部の回転に応じて、前記アーム部が前記ハウジングを挟み前記ヘッドバンドの一端部と反対側に突出する位置まで回転されたことを検出すると、前記ヘッドセットの電源をオンする電源制御部、を更に備える、
請求項１〜５のうちいずれか一項に記載のヘッドセット。
【発明の詳細な説明】
【技術分野】
【０００１】
本開示は、人の頭部に装着して使用されるヘッドセットに関する。
【背景技術】
【０００２】
スピーカとマイクとを備え、人の頭部に装着して使用されるヘッドセットが知られている（例えば、特許文献１参照）。このヘッドセットは、ヘッドバンドと電子装置ハウジングとを備える構成である。電子装置ハウジングには、イヤホーンスピーカー、マイクブーム、及びヘッドセット電子装置操作用タッチパッドなどが設けられている。マイクブームは、快適な位置に調整できるように電子装置ハウジングに取り付けられる。マイクブームは、電子装置ハウジングから突出し、口元に配置可能なマイクを先端に備える。
【先行技術文献】
【特許文献】
【０００３】
【特許文献１】特表２００３−５２８４３４号公報
【発明の概要】
【発明が解決しようとする課題】
【０００４】
しかしながら、特許文献１などの従来のヘッドセットは、マイクブームの先端に単一のマイクのみしか備えていないため、周囲の騒音状況に応じて、収音性能（つまり、マイクにより収音された音声の音質）が劣化することがあった。ヘッドセットの収音性能を高めるために、例えばマイクブームを長くして口元にマイクを配置できるようにすることも考えられるが、マイクブームが大型となり、軽量化しにくくなる問題があった。ヘッドセットの軽量化が困難になると、ヘッドセットを長時間使用する業務（例えば、ファストフードの店員）において使用上の不快さ、不便さがあり、使い勝手が良くなかった。
【０００５】
本開示は、上述した従来の事情に鑑みて案出され、騒音環境下においても音声がクリアに聞こえる程に収音性能を向上することと、軽量化することとを両立するヘッドセットを提供することを目的とする。
【課題を解決するための手段】
【０００６】
本開示は、ヘッドバンドの一端部に設けられるハウジングと、前記ハウジングに取り付けられるイヤーパッドと、前記イヤーパッドと反対側の前記ハウジングに取り付けられるブーム本体部と、前記ブーム本体部に設けられ、前記ハウジングを挟み前記ヘッドバンドの一端部と反対側に突出するアーム部と、前記アーム部の突出先端に設けられる第１マイクと、前記アーム部に設けられ、ユーザの口元と前記第１マイクとを通る略直線上に、前記第１マイクを挟んでユーザの口元と反対側に配置される第２マイクと、を備えるヘッドセットを提供する。
【発明の効果】
【０００７】
本開示によれば、騒音環境下においても音声がクリアに聞こえる程に収音性能を向上することと、軽量化することとを両立するヘッドセットが得られる。
【図面の簡単な説明】
【０００８】
【図１】本実施の形態に係るヘッドセットが用いられるファストフード店の注文システムのシステム構成例を示す図
【図２】図１に示したヘッドセットの斜視図
【図３】図２のヘッドセットを背面側から見た斜視図
【図４】アーム部の一部を切り欠いたマイクブームの正面図
【図５】図４に示したマイクブームの側面図
【図６】口元と第１マイクと第２マイクとの位置関係の一例を表す説明図
【図７】不使用時のヘッドセットの斜視図
【図８】マイクブームが円周方向に回転されて使用可能状態となったヘッドセットの斜視図
【図９】ハウジングに設けられた磁石の位置を表す要部拡大斜視図
【図１０】アーム部に設けられたホールＩＣの位置を表す要部拡大斜視図
【図１１】マイクブーム回転構造によるヘッドセットの電源のオンオフを実現するためのヘッドセットの内部構成の一例を示すブロック図
【図１２】長尺のアーム部に複数のマイクが設けられた比較例の説明図
【図１３】長尺のアーム部に複数のマイクが口元を通る略直線上に設けられた比較例の説明図
【図１４】短尺のアーム部に複数のマイクが設けられた比較例の説明図
【図１５】ヘッドセットの動作概要図
【発明を実施するための形態】
【０００９】
以下、適宜図面を参照しながら、本開示に係るヘッドセットを具体的に開示した実施の形態（以下、本実施の形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１０】
図１は、本実施の形態に係るヘッドセット１１が用いられるファストフード店の注文システムのシステム構成例を示す図である。
【００１１】
図１に示すファストフード店の注文システムは、１つ以上のヘッドセット１１と、１つ以上のオーダーポスト１５と、センターモジュール１７とを含む構成である。
【００１２】
ヘッドセット１１は、例えばファストフード産業、銀行業、小売業など種々の産業において多用できる。例えば、ファストフード店においては、ファストフード店の敷地内に既設のドライブスルーレーン１３に対して車両で来店した顧客（つまり、車両のドライバー）から車両越しで注文を受けるために、複数の従業員がそれぞれ異なるヘッドセット１１を装着して注文に応対する。
【００１３】
例えば複数のドライブスルーレーン１３が設けられたファストフード店では、それぞれのドライブスルーレーン１３にオーダーポスト１５が設置される。オーダーポスト１５は、車両のドライバーの発した音声を収音するマイクと、店員（言い換えると、従業員）の発した声を出力するスピーカとを備える。
【００１４】
店内にはセンターモジュール１７が設置される。
【００１５】
センターモジュール１７は、通信用のインターフェース部と、プロセッサと、メモリ等とを主に備え、ヘッドセット１１を装着した店内の従業員の音声データと店外の顧客の音声データとを無線通信を使って送受信（中継）する。通信方式としては、例えば、デジタルコードレス電話の通信規格である１．９ＧＨｚ帯ＤＥＣＴ（Digital Enhanced Cordless Telecommunications）等が用いられる。店員（言い換えると、従業員）は、どのオーダーポスト１５の顧客と話をするかを選択できる。例えば、ドライブスルーレーン１３として２つのレーン１、レーン２が並列で配置されている場合、店員（言い換えると、従業員）は、ヘッドセット１１の後述するシフトボタンをダブルクリックすることにより、通話先をレーン１又はレーン２のいずれかに切り替えることができる。また、センターモジュール１７は、店内の店員同士（言い換えると、従業員同士）として、例えば異なるドライブスルーレーン１３（レーン１，２）をそれぞれ担当する従業員Ａ，Ｂ間の通話も中継可能としている。
【００１６】
図２は、図１に示したヘッドセット１１の斜視図である。本実施の形態に係るヘッドセット１１は、ハウジング１９と、イヤーパッド２１と、ブーム本体部２３と、アーム部２５と、第１マイク２７と、第２マイク２９とを主要な構成として有する。また、本実施の形態において、ヘッドセット１１は、主要な構成として第３マイク３１を更に備えてよい。
【００１７】
ハウジング１９は、ヘッドバンド３３の一端部３５に設けられる。ヘッドバンド３３の他端部３７には、ヘッドパッド３９が設けられる。ハウジング１９は、円形部４１と突起部４３とによりティアドロップ形状の板状に形成される。ヘッドセット１１は、ヘッドパッド３９に、ヘッドバンド３３の他端部３７が進退可能に接続され、装着者の頭部の大きさに応じヘッドバンド３３の長さ調節が可能となっている。
【００１８】
イヤーパッド２１は、円形部４１のヘッドパッド３９に対向する面に取り付けられる。イヤーパッド２１は、回転することにより、耳との角度が調節可能となっている。イヤーパッド２１の中央部には、スピーカ音の出る開口部４５が形成される（図３参照）。開口部４５の背面には、ブーム本体部２３に収容されるスピーカが連通して配置される。ヘッドパッド３９は、ユーザがヘッドバンド３３を頭部に掛けることにより、一方の側頭部をヘッドパッド３９が押さえ、他方の耳にイヤーパッド２１が配置されて装着される。
【００１９】
イヤーパッド２１と反対側のハウジング１９には、マイクブーム４７が回転自在に取り付けられる。マイクブーム４７は、ブーム本体部２３と、アーム部２５とにより一体に形成される。ブーム本体部２３は、扁平円柱形状に形成される。ブーム本体部２３は、ハウジング１９の円形部４１と同一中心で回転する。
【００２０】
ブーム本体部２３の表面には、複数のスイッチが設けられる。これらのスイッチは、例えばトークボタン４９、音量調節ボタン５１、ページボタン５３、シフトボタン５５などを含む。
【００２１】
トークボタン４９は、オーダーポスト１５の前にいる顧客との会話をするためのボタンである。例えば、トークボタン４９を１度押すと、現在接続しているドライブスルーレーンのオーダーポスト１５の近傍にいる顧客（つまり、車両に乗車中の顧客）と通話ができ、再度、トークボタン４９を押すと、通話を終了する。
【００２２】
音量調節ボタン５１は、ボタンを押すと音量が大きくなる。音量の上限になるとビープ音が鳴り、更にボタンを押すと音量の下限に戻る。
【００２３】
ページボタン５３は、従業員同士の通話を制御する。ページボタン５３は、１度押すと、現在接続しているドライブスルーレーンを担当している店員（言い換えると、従業員）との間で通話ができ、再度押すと、その通話を終了する。なお、ページボタン５３は、ヘッドセット１１に対する設定操作によって動作が変わる。
【００２４】
シフトボタン５５は、シフトボタン５５を押す、又はシフトボタン５５と他のボタンを同時に押すことで種々の機能が使用可能となる。例えば、シフトボタン５５により、接続先のドライブスルーレーンの切り換え、アラート通知が可能となる。
【００２５】
また、ブーム本体部２３の外周には、カラーチップ５７が着脱自在に設けられる。カラーチップ５７は、付け替えることで、ヘッドセット１１の色分けを可能とし、実際に複数の店員によってそれぞれ異なる複数のヘッドセット１１が使用される運用時の使い勝手を向上できる。
【００２６】
この他、ブーム本体部２３には、表示灯部５９やレーン表示灯６１が設けられる。表示灯部５９には、電源表示灯６３（図７参照）、設定表示灯が配置される。レーン表示灯６１は、点灯色によりヘッドセット１１が接続されているドライブスルーレーンを表す。
【００２７】
アーム部２５は、ブーム本体部２３に設けられ、ハウジング１９を挟みヘッドバンド３３の一端部３５と反対側に突出する。アーム部２５は、店員（言い換えると、従業員）の装着時に、頬に沿って突出先端が口元に向くように、湾曲した角錐形状に形成される。アーム部２５の内部は、ブーム本体部２３と連通した電装品収容部６５（図５参照）となっている。
【００２８】
図３は、図２のヘッドセット１１を背面側から見た斜視図である。アーム部２５の突出先端には、第１マイク２７が設けられる。第１マイク２７は、アーム部２５の突出先端において、ユーザの口元に対向するアーム内面６７に配置される。
【００２９】
図４は、アーム部２５の一部を切り欠いたマイクブーム４７の正面図である。ヘッドセット１１は、第１マイク２７が、上述したように、アーム部２５の口元側に対向するアーム内面６７に配置される。一方、アーム部２５には、第２マイク２９が設けられる。第２マイク２９は、アーム内面６７と反対側のアーム部２５のアーム外面６９に配置される。
【００３０】
図５は、図４に示したマイクブーム４７の側面図である。電装品収容部６５の突出先端には、第１マイク２７を実装するマイク実装基板７１が収容される。マイク実装基板７１とブーム本体部２３との間の電装品収容部６５には、第２マイク２９を実装するマイク実装基板７３が収容されている。
【００３１】
ヘッドセット１１は、ブーム本体部２３又はアーム部２５に、第２マイク２９を挟んで第１マイク２７の反対側となるアーム外面６９に、第３マイク３１がさらに配置される。本実施の形態において、第３マイク３１は、図２に示すように、ブーム本体部２３におけるトークボタン４９の近傍に設けられている。
【００３２】
ヘッドセット１１は、第１マイク２７と第２マイク２９との距離よりも第２マイク２９と第３マイク３１との距離が大きく設定されている。
【００３３】
これら第１マイク２７、第２マイク２９及び第３マイク３１には、例えばＭＥＭＳ（Micro Electro Mechanical Systems）マイクとしての無指向性マイクが用いられる。ヘッドセット１１では、複数の無指向性マイク（主に、第１マイク２７及び第２マイク２９）が用いられることにより、後述する音声信号処理部９１における指向性の形成を容易としている。なお、第３マイク３１の使用は、後述する音声信号処理部９１における指向性の形成を排除するものではないことは言うまでも無い。また、ヘッドセット１１は、第１マイク２７、第２マイク２９及び第３マイク３１に無指向性マイクを用いることにより、マイク実装基板７１やマイク実装基板７３へのリフローによるマイク実装を可能としている。これにより、ヘッドセット１１は、生産性が高められている。
【００３４】
ブーム本体部２３には、電池７５を収容する電池収容部７７が設けられている。電池７５は、電池収容部７７に挿入すると、電池ロック７９により保持される。電池７５の取り外しは、電池ロック７９を押すことにより可能となる。
【００３５】
ブーム本体部２３には、回転中心と同軸の軸部８１が形成される。ブーム本体部２３は、この軸部８１をハウジング１９の円形部４１に挿入して回転自在に支持される。なお、ハウジング１９に対する軸部８１の離脱は、図示しない係止構造により規制されている。軸部８１には、スピーカ８３（図１１参照）が収容されたスピーカ収容筒部８５が形成されている。スピーカ収容筒部８５は、ハウジング１９の円形部４１を貫通して、イヤーパッド２１の開口部４５に対面する。スピーカ収容筒部８５は、先端開口がイヤーパッド２１の開口部４５に対面することにより、スピーカ８３からの音声をイヤーパッド２１から出力可能とする。このようにして、ヘッドセット１１では、電装品の全てがブーム本体部２３に収容されている。
【００３６】
図６は、口元と第１マイク２７と第２マイク２９との位置関係の一例を表す説明図である。ヘッドセット１１は、ユーザである店員（言い換えると、従業員）の装着時、その店員（言い換えると、従業員）の口元と第１マイク２７とを通る略直線上に、第１マイク２７を挟んで口元と反対側に第２マイク２９が配置される。換言すれば、第２マイク２９と第１マイク２７とを結ぶ仮想直線８７が店員（言い換えると、従業員）の口元を通るように第１マイク２７及び第２マイク２９は配置されている。店員（言い換えると、従業員）の口元とは、例えば店員（言い換えると、従業員）の唇前方の音の出入口となる収音エリア８９である。
【００３７】
ここで、本実施の形態に係るヘッドセット１１のマイク配置例による音声信号の生成処理の一例を説明する。
【００３８】
ヘッドセット１１では、音声信号処理部９１（図１１参照）が、２つの第１マイク２７と第２マイク２９とを用いて、例えばユーザである店員（言い換えると、従業員）の口元に向かう方向に指向性を有する信号（主信号である音声信号）を生成する。また、音声信号処理部９１は、例えばユーザである店員（言い換えると、従業員）の口元に向かない方向（言い換えると、上述した口元に向かう方向から外れる方向）に対してヌル方向の指向性を有する信号（参照信号）を生成する。
【００３９】
ヘッドセット１１は、上述した音声信号の生成処理を、周波数領域で計算を行っている。ここでは説明を容易とするために時間領域での処理内容を記載する。第１マイク２７から入力される音声信号をｘ０（ｔ）、第２マイク２９から入力される音声信号をｘ１（ｔ）とした場合、計算で導かれる主信号ｘｍａｉｎ（ｔ）は数式（１）の通りである。
【００４０】
【数１】
2019083406.tif 000003
【００４１】
数式（１）において、ｄは、第２マイク２９から第１マイク２７に音声が到達するまでの時間差を表す。例えば第１マイク２７〜第２マイクまでの間の距離が２０ｍｍであった場合、その時間差は０．０２ｍ÷３３４ｍ／ｓ＝０．０５９ｍｓとなり、ｆｓ＝１６ｋＨｚの処理であれば、１サンプル０．０６２５ｍｓなのでｄ＝約１サンプル分となる。更に正確に位相差を合わせるには高いサンプリングレートで計算を行うか、周波数領域に変換する必要がある。なお、ヘッドセット１１における音声信号の生成処理では周波数領域に変換している。
【００４２】
図７は、不使用時のヘッドセット１１の斜視図である。ヘッドセット１１は、ハウジング１９に対して上述したように、ブーム本体部２３及びアーム部２５が一体回転自在に設けられる。ヘッドセット１１は、アーム部２５がヘッドバンド３３に重ねられる図７に示す回転位置で電源のスイッチ９３（図１１参照）がオフされる。
【００４３】
図８は、マイクブーム４７が円周方向に回転されて使用可能状態となったヘッドセット１１の斜視図である。また、ヘッドセット１１は、アーム部２５がハウジング１９を挟みヘッドバンド３３の一端部３５と反対側に突出する図８に示す回転位置で電源のスイッチ９３がオンされる。
【００４４】
図９は、ハウジング１９に設けられた磁石９５の位置を表す要部拡大斜視図である。ハウジング１９の突起部４３には、外面側（ユーザの装着時に頭部と反対側となる面）に、磁石９５が内蔵されている。
【００４５】
図１０は、アーム部２５に設けられたホールＩＣ９７の位置を表す要部拡大斜視図である。アーム部２５の基部には、アーム内面６７にホールＩＣ９７が設けられている。ホールＩＣ９７は、マイクブーム４７が回転され、磁石９５の位置に一致したときに、電源のオフ動作を実行する。ヘッドセット１１は、電源のオンオフが磁石９５とホールＩＣ９７により非接触で行われる。このため、接点を有するスイッチを使用する構成に比べ、耐久性を向上させることができる。
【００４６】
図１１は、マイクブーム回転構造によるヘッドセット１１の電源のオンオフを実現するためのヘッドセット１１の内部構成の一例を示すブロック図である。ヘッドセット１１は、マイクブーム回転構造を採用しており、そのマイクブーム回転構造により、ヘッドセット１１自身の電源をオンオフする制御構成として、磁石９５と、ホールＩＣ９７と、ベースバンドＩＣ９９と、電池７５と、スイッチ９３と、スピーカ８３と、各回路電源１０１とを有する。
【００４７】
ベースバンドＩＣ９９は、電源検出部１０３と、電源制御部１０５と、音声信号処理部９１とを有する。電源検出部１０３は、磁石９５のホールＩＣ９７に対する接近又は離反により作動するホールＩＣ９７から出力される信号を検出する。電源制御部１０５は、電源検出部１０３から出力される信号に基づき、スイッチ９３にヘッドセット１１の電源のオン又はオフを指示するための制御信号（オンオフ制御信号）を出力する。スイッチ９３は、このオンオフ制御信号に基づき、電池７５から各回路電源１０１へ給電したり（電源オン）、電池７５から各回路電源１０１への給電を停止したりする（電源オフ）。
【００４８】
音声信号処理部９１は、第１マイク２７、第２マイク２９及び第３マイク３１から入力される音声信号に基づき、例えばユーザである店員（言い換えると、従業員）の口元に向かう方向に指向性を持つ信号を生成する。即ち、上記した処理での主信号、参照信号を作成する。音声信号処理部９１は、これら主信号、参照信号に基づき、騒音を抑圧し、クリアな音声をスピーカ８３へ送信する。
【００４９】
次に、上述したヘッドセット１１の構成の作用を説明する。
【００５０】
本実施の形態に係るヘッドセット１１は、ヘッドバンド３３の一端部に設けられるハウジング１９と、そのハウジング１９に取り付けられるイヤーパッド２１と、そのイヤーパッド２１と反対側のハウジング１９に取り付けられるブーム本体部２３と、そのブーム本体部２３に設けられ、ハウジング１９を挟みヘッドバンド３３の一端部３５と反対側に突出するアーム部２５と、そのアーム部２５の突出先端に設けられる第１マイク２７と、そのアーム部２５に設けられ、ユーザの口元と第１マイク２７とを通る略直線上に、第１マイク２７を挟んでユーザの口元と反対側に配置される第２マイク２９と、を備える。
【００５１】
本実施の形態に係るヘッドセット１１では、例えばユーザである店員（言い換えると、従業員）の口元と第１マイク２７とを通る略直線上に、第１マイク２７を挟んでその店員（言い換えると、従業員）の口元と反対側に第２マイク２９が配置される。即ち、ヘッドセット１１では、口元に近い順に、第１マイク２７と、第２マイク２９とが略直線上に配置される。ヘッドセット１１は、口元に対して離間する異なる距離の２つの第１マイク２７と第２マイク２９により、ユーザの音声検出を行う。また、ヘッドセット１１は、音声検出とともに、第１マイク２７と第２マイク２９により、口元に対する指向性制御が可能となる。ヘッドセット１１は、単一マイクの構成に比べ、連続的な周囲騒音の抑圧を容易にすることができる。従って、ヘッドセット１１は、例えば騒音環境下においても音声がクリアに聞こえる程に収音性能を向上することと、軽量化することとを両立する
【００５２】
図１２は、長尺のアーム部１０７に複数のマイク１０９が設けられた比較例の説明図である。図１３は、長尺のアーム部１１１に複数のマイク１０９が口元を通る略直線上に設けられた比較例の説明図である。
【００５３】
一般に、ヘッドセットは、収音性能を高めるために、図１２に示す比較例のヘッドセットのように、マイクブームのアーム部１０７を長くし、口元にマイク１０９を配置できるようにすることも考えられる。また、複数のマイク１０９を口元に近い順に、略直線上で配置するために、図１３に示すように更に長いアーム部１１１とすることも考えられる。しかし、この場合、マイクブームが大型となり、軽量化しにくくなる問題がある。
【００５４】
これに対し、本実施形態に係るヘッドセット１１は、図６に示したように、第１マイク２７と第２マイク２９とが口元を通る略直線上で配置される構成を有するので、口元に対する指向性制御が可能となる。収音性能を高めるためにマイクブーム４７を長くして口元にマイクを配置する必要がなくなる。そのため、マイクブーム４７を短くして、軽量化できる。ヘッドセット１１は、軽量化されることにより、仕事中装着していても疲れにくくできる。
【００５５】
図１４は、短尺のアーム部１１３に複数のマイク１０９が設けられた比較例の説明図である。なお、軽量化のために、図１４に示す比較例に係るヘッドセットのように、単に短尺のアーム部１１３に複数のマイク１０９が設けられても、複数のマイク１０９が口元を通る略直線上で配置できない構成では、ユーザの口元に指向性が向かない。
【００５６】
また、ヘッドセット１１では、第１マイク２７は、アーム部２５の口元側に対向するアーム内面６７に配置され、第２マイク２９は、アーム内面６７と反対側のアーム部２５のアーム外面６９に配置される。
【００５７】
これにより、ヘッドセット１１では、第１マイク２７と第２マイク２９とを、アーム部２５の表裏反対側に配置することにより、同一面で横並びとする構成に比べ、マイク間の離間距離を大きく確保できる。これにより、限られた長さのアーム部２５において、鋭い指向性を形成することが可能となる。
【００５８】
また、ヘッドセット１１は、第１マイク２７及び第２マイク２９によりそれぞれ収音された音声信号に基づいて、ユーザの口元に向かう方向に指向性を有する信号を生成する音声信号処理部９１を更に備える。
【００５９】
これにより、ヘッドセット１１では、２つの第１マイク２７と第２マイク２９とを用いて、音声信号処理部９１が主信号を作成する。従って、鋭い指向性を持つ主信号により、クリアな音声の再現が可能となる。また、音声信号処理部９１は、ヌル方向の指向性を持つ参照信号を作成することができる。この参照信号を用いることによりユーザの音声以外のノイズを抑圧することが可能となる。
【００６０】
この際に注意することとして、主信号の指向性は、第２マイク２９から第１マイク２７への延長線上に作成されるため、その線上付近に口元があるのが望ましい。図１４に示した比較例のマイク配置では、ユーザの口元に指向性が向かない場合がある。
【００６１】
また、ヘッドセット１１は、第２マイク２９を挟んで第１マイク２７の反対側となるアーム部２５のアーム外面６９に配置された第３マイク３１を更に備える。
【００６２】
図１５は、ヘッドセット１１の動作概要図である。また、ヘッドセット１１では、第１マイク２７、第２マイク２９及び第３マイク３１が用いられて、ノイズの抑制が可能となる。ヘッドセット１１は、これら３つのマイクからの音声信号に基づき、音声信号処理部９１により、音声と、連続的なノイズ（環境音）と、突発音（バーストノイズ）とを推定し、音声のみを強調することが可能となる。バーストノイズとしては、例えばアイスクリームマシーンの動作音などがある。特に、第３マイク３１からの音声信号を用いることにより、第１マイク２７及び第２マイク２９のみの構成でも可能となる環境音抑制性能に加え、突発的なノイズに対する高いノイズ抑圧性能を付与することができる。これにより、ヘッドセット１１は、クリアな音声の送信を可能にしながら、連続及びバーストの両ノイズにも対応できるようになっている。
【００６３】
より具体的に、本構成を備えるヘッドセット１１の試作機では、ノイズの抑圧量が、現行品で最大２４ｄＢであるのに対し、２４ｄＢ以上となる測定結果が得られている。
【００６４】
また、ヘッドセット１１では、第１マイク２７と第２マイク２９との距離よりも第２マイク２９と第３マイク３１との距離が大きい。
【００６５】
これにより、ヘッドセット１１では、第３マイク３１が、第１マイク２７及び第２マイク２９から離れたアーム外面６９に配置されることにより、外部の突発音を収音しやすくできる。第３マイク３１が、第１マイク２７及び第２マイク２９から離間して配置されることにより、指向性の強いバーストノイズの信号が得やすくなっている。
【００６６】
また、ヘッドセット１１は、ハウジング１９に対するアーム部２５の回転に応じて、アーム部２５がヘッドバンド３３に重ねられる位置まで回転されたことを検出すると、ヘッドセット１１の電源をオフする電源制御部１０５、を更に備える。
【００６７】
これにより、ヘッドセット１１では、ヘッドバンド３３と重なるアーム部２５の回転位置により、電源のオフ状態を視覚や触感により全方向から容易に認識できる。また、ヘッドセット１１は、電源オフ時、即ち、不使用時には、突出するアーム部２５がヘッドバンド３３と重ねられて突出しなくなる。これにより、ヘッドセット１１は、コンパクトにたためて、省スペースでの収納が可能となる。
【００６８】
また、ヘッドセット１１は、ヘッドバンド３３に固定されるハウジング１９に対し、ブーム本体部２３及びアーム部２５が一体となって回転自在となる。このため、ブーム本体部２３及びアーム部２５に、スピーカ８３、マイク、スイッチ類、表示灯、基板、電池７５及びケーブル等の全ての電装部品の収納が可能となる。これにより、ヘッドセット１１は、可動部材に渡ってケーブルが配線されることがなくなり、断線が生じにくく、壊れにくくなる。
【００６９】
また、ヘッドセット１１は、ハウジング１９に対するアーム部２５の回転に応じて、アーム部２５がハウジング１９を挟みヘッドバンド３３の一端部３５と反対側に突出する位置まで回転されたことを検出すると、ヘッドセット１１の電源をオンする電源制御部１０５、を更に備える。
【００７０】
これにより、ヘッドセット１１では、アーム部２５の回転位置により、電源のオン状態を視覚や触感により全方向から容易に認識することができる。
【００７１】
従って、本実施形態に係るヘッドセット１１によれば、騒音環境下においても音声がクリアに聞こえる軽量なヘッドセット１１を得ることができる。
【００７２】
以上、図面を参照しながら本開示に係る実施の形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【産業上の利用可能性】
【００７３】
本開示は、騒音環境下においても音声がクリアに聞こえる程に収音性能を向上することと、軽量化することとを両立するヘッドセットとして有用である。
【符号の説明】
【００７４】
１１  ヘッドセット
１９  ハウジング
２１  イヤーパッド
２３  ブーム本体部
２５  アーム部
２７  第１マイク
２９  第２マイク
３１  第３マイク
３３  ヘッドバンド
３５  一端部
６７  アーム内面
６９  アーム外面
９１  音声信号処理部
９３  スイッチ
１０１  回路電源
１０５  電源制御部
【図１】
2019083406.tif 000004
【図２】
2019083406.tif 000005
【図３】
2019083406.tif 000006
【図４】
2019083406.tif 000007
【図５】
2019083406.tif 000008
【図６】
2019083406.tif 000009
【図７】
2019083406.tif 000010
【図８】
2019083406.tif 000011
【図９】
2019083406.tif 000012
【図１０】
2019083406.tif 000013
【図１１】
2019083406.tif 000014
【図１２】
2019083406.tif 000015
【図１３】
2019083406.tif 000016
【図１４】
2019083406.tif 000017
【図１５】
2019083406.tif 000018